(57)【特許請求の範囲】
【請求項１】
シートを支持する脚体に基端を回動可能に結合してフック部材を設けるとともに、フロア上のベース台に設けた開口内を横切るように前記フロアに固定された係止棒を設け、前記開口内に挿入された前記フック部材を回動させて前記係止棒に係合させることにより前記脚体を離脱可能に前記フロアに結合した脱着式シートであって、前記脚体はシートを支持するシート基台の前端部に位置する前側脚体と前記シート基台の後端部に位置する後側脚体とを備えており、前記前側脚体は前記シート基台に前後方向に回動可能に設けられており、前記前側脚体および前記後側脚体には下方へ突出し前記開口内に挿入されて位置決めされる突出部と、前記開口の前縁上に位置してシート荷重を支持する支持面が形成されており、前記係止棒の左右の端部は下方へ屈曲して前記フロアに固定され、これにより前記係止棒の中間部は前記ベース台内で立ち上がっており、前記シート基台は前記前側脚体に対して直立姿勢に回動させることができ、かつ前記前側脚体の突出部には、前記係止棒の中間部を受け入れて当該中間部を前記フック部材とで抱持する凹所が形成されていることを特徴とする脱着式シート。
【請求項２】
前記前側脚体と前記後側脚体とは、前記シート基台を直立姿勢に回動させたとき前記後側脚体を前記シート基台内へ収納回動させるリンクにより連結されている請求項１に記載の脱着式シート。
【発明の詳細な説明】
【０００１】
【発明の属する技術分野】
本発明は、フロアから取り去って荷物積載スペースを拡げることができる脱着シートの、ロック構造の改良に関する。
【０００２】
【従来の技術】
特開平５−２６２１７０号公報には脱着シートの前部ロック構造の一例が示されており、その詳細を図８に示す。図８において、車両フロア９（実際には車両フロア上に設けたベース台）には開口９２が設けられており、シートＳの前端下部に設けられた脚体１１が開口９２内に挿入されている。脚体１１にはほぼその中心に、基端を回動可能に結合してフック部材１２が設けられており、フック部材１２の先端１２１が、開口９２の折り曲げ成形された周縁部９２１に係合してシートＳをベース台９に固定し、ロック状態となっている。ロックを解消するには、フック部材１２の基端から斜め後方へ延びる操作レバー１２２を図８の矢印方向へ引き上げて、フック部材１２を図の反時計方向へ回転させることによりその先端１２１と開口周縁部９２１との係合状態を解消し、脚体１１を開口９２内から抜き出すことにより行う。
【０００３】
【発明が解決しようとする課題】
しかし、上記従来のロック構造では、フック部材１２の先端１２１をベース台９に設けた開口９２の周縁９２１に係合させているため、シートＳに上方への大きな引き上げ力が作用した際に十分な耐久性を確保するためにはベース台９の板厚を厚くする必要があり、重量増とコストアップが避けられないという問題があった。
【０００４】
そこで、本発明はこのような課題を解決するもので、重量増やコストアップを招くことなく、確実なロック状態を保証することが可能な脱着シートのロック構造を提供することを目的とする。
【０００５】
【課題を解決するための手段】
上記目的を達成するため、本発明では、シート（Ｓ）を支持する脚体（２Ａ，２Ｂ）に基端を回動可能に結合してフック部材（４，８）を設けるとともに、フロア（Ｆ）上のベース台（９）に設けた開口（９１Ａ，９１Ｂ）内を横切るように係止棒（１０）を設けてこれをフロア（Ｆ）に固定し、開口（９１Ａ，９１Ｂ）内に挿入されたフック部材（４，８）を回動させて係止棒（１０）に係合させることにより脚体（２Ａ，２Ｂ）を離脱可能にフロア（Ｆ）に結合する。脚体（２Ａ，２Ｂ）はシート（Ｓ）を支持するシート基台（１）の前端部に位置する前側脚体（２Ａ）とシート基台（１）後端部に位置する後側脚体（２Ｂ）とを備えており、前側脚体（２Ａ）はシート基台（１）に前後方向に回動可能に設けられており、前側脚体（２Ａ）および後側脚体（２Ｂ）には下方へ突出し開口（９１Ａ）内に挿入されて位置決めされる突出部（２３）と、開口（９１Ａ）の前縁上に位置してシート荷重を支持する支持面（２４，２５）が形成されており、係止棒（１０）の左右の端部（１０１）は下方へ屈曲してフロア（Ｆ）に固定され、これにより係止棒（１０）の中間部（１０２）はベース台（９）内で立ち上がっており、シート基台（１）は前側脚体（９Ａ）に対して直立姿勢に回動させることができる。そして、前側脚体（２Ａ）の突出部（２３）には、係止棒（１０）の中間部（１０２）を受け入れて当該中間部（１０２）をフック部材（８）とで抱持する凹所（２３１）が形成されている。ここで、前側脚体（２Ａ）と後側脚体（２Ｂ）とを、シート基台（１）を直立姿勢に回動させたとき後側脚体（２Ｂ）をシート基台（１）内へ収納回動させるリンク（６２）により連結する構成としても良い。
【０００６】
本発明においては、フロアに固定された係止棒をベース台の開口内を横切るように設けて、脚体のフック部材を上記係止棒に係合させることによってシートをフロアに結合している。このため、シートに加わる引き上げ力はフック部材から係止棒を経てフロアにより直接受けられて、確実なロック状態が保証される。このように本発明では、シート引き上げ力が従来のように開口周縁を経てベース台を経由することがないから、ベース台の板厚を必要以上に厚くする必要はなく、重量増やコストアップを避けることができる。
【０００７】
なお、上記カッコ内の符号は、後述する実施形態に記載の具体的手段との対応関係を示すものである。
【０００８】
【発明の実施の形態】
（第１実施形態）
図１において、シートＳを支持するシート基台１には前後位置にそれぞれ脚体２Ａ，２Ｂが設けられている。後側脚体２Ｂは図２に示すように板体を門型に成形して左右に位置する垂直な脚部２１とこれらを連結する水平な連結部２２を備えたもので、左右の脚部２１の上端取付穴２１１に挿入される軸体３１（図１）によりシート基台１の後端部に回動可能に結合されている。左右の各脚部２１は下端中央部２６が下方へ突出する突出部となるとともに、当該突出部２６の前後の脚部下端面２７，２８は浅い角度で突出部２６へ滑らかに続く支持面となっている。各脚部２１の内側面には脚部板面に軸体４１で回動可能に結合されてフック部材４が設けらており、軸体４１周囲に設けたバネ部材（図示略）によりフック部材４の先端４２は脚部２１の下端突出部２６から前方（図２の左方）へ突出している。
【０００９】
左右のフック部材４の上端を結んで連結ロッド４３が設けてあり、連結ロッド４３の上方へ屈曲する中央部４３１に操作レバー５の先端が当接している。操作レバー５をその中央支持部５１を中心に回動操作すると、連結ロッド４３を介してフック部材４が旋回してその先端４２が脚部２１の突出部２６内に引き込まれる。シート基台１と脚体２Ｂの連結部２２との間にはコイルバネ６１が架設されており、このコイルバネ６１のバネ力は脚体２Ｂの脚部２１がシート基台１に対して直角に突出している図１の状態ではこの姿勢を維持するように脚体２Ｂを付勢している。
【００１０】
シート基台１の前端部に位置する前側脚体２Ａ（図１）も基本構造は上述した後側脚体２Ｂと同一であり、左右の脚部２１が上半の軸体３２によって回動可能にシート基台１に結合されている。脚部は下端中央部２３が下方へ突出する突出部となるとともに、当該突出部２３の前後の脚部下端面２４，２５は浅い角度で突出部２３へ滑らかに続く支持面となっている。そして、前側脚体２Ａの上端と、後側脚体２Ｂの上端に前方へ突設された連結片２２１（図２参照）との間はリンク板６２により連結されている。また、上記軸体３２の周囲にはゼンマイバネ６３が配設されて、シート基台１を軸体３２周りに図１の矢印で示す反時計方向、すなわち起立方向へ回転付勢している。
【００１１】
前側脚体２Ａの左右の脚部２１の内側面には脚部板面に軸体７１で回動可能に結合されてフック部材８が設けらており、軸体７１周囲に設けたバネ部材（図示略）によりフック部材８の先端８１は脚部２１の下端突出部２３から後方へ突出している。左右のフック部材８の上端を結んで図３に示すように連結ロッド７が設けてあり、連結ロッド７の端部はフック部材８の回動中心となる上記軸体７１になるとともに、連結ロッド７の中央部は上方へ大きく屈曲して操作部７２となっている。
【００１２】
フロアＦ上に設けられたベース台９には上面の前後左右位置（図４に前端部のみ図示）に長方形の開口９１Ａ，９１Ｂが設けられており、左右の開口９１Ａ，９１Ｂを連ねてこれらの内部に係止棒１０が位置している。すなわち、係止棒１０は下方へ屈曲した左右の端部１０１がフロアＦにボルト３３（図５）で固定されるとともに、円形断面の中間部１０２はベース台９内で立ち上がって左右の前側開口９１Ａ内の後縁近くを横切っている（図１）。なお、後側開口９１Ｂでは係止棒１０の中間部１０２は図１に示すように開口９１Ｂ内の前縁近くを横切っている。
【００１３】
このようなロック構造において、シート使用時には、図１に示すように、前後の脚体２Ａ，２Ｂの左右の脚部２１はその下端突出部２３，２６が、フロアＦ上のベース台９に設けた開口９１Ａ，９１Ｂ内に挿入されて位置決めされるとともに、その支持面２４，２５，２７，２８がベース台９の開口９１Ａ，９１Ｂ縁上に位置してシート荷重を支持する。同時に各脚部２１に付設されたフック部材４，８の先端４２，８１が係止棒１０の中間部１０２に係合してシート基台１すなわちシートＳがフロアＦに固定されている。この状態でシートＳに上方への大きな引き上げ力が作用しても、この引き上げ力はフック部材４，８が係合している係止棒１０を介して直接フロアＦへ入力しここで受けられるから、ベース台９の板厚を厚くすることなく十分な耐久性が発揮される。
【００１４】
シートＳを取り去る場合には、後側脚体２Ｂ内の操作レバー５（図２）を旋回操作して左右のフック部材４を脚部２１の突出部２６内に引き込み、係止棒１０との係合状態を解消してシート基台１を前端部の軸体３２を中心にして図６に示すように直立姿勢へ回動させる。この過程で、後側脚体２Ｂはリンク板６２の作用とコイルバネ６１のターンオーバした付勢力とによってシート基台１内へ収納回動させられる。この状態で、連結ロッド７の操作部７２（図３）により前側脚体２Ａのフック部材８の先端８１を、図６の鎖線で示すように脚部２１の突出部２３内に引き込むと、係止棒１０との係合が解消されて脚部２１を開口内から抜き出すことができる。これによりシートＳをフロアＦから取り去って、荷室を拡大することができる。
【００１５】
（第２実施形態）
図７において、前後の脚体２Ａ，２Ｂの脚部２１では、第１実施形態における支持面２５，２７が無くなっており、これに代えて、各突出部２３，２６に係止棒１０の中間部１０２を受け入れる凹所２３１，２６１が形成されている。シート使用時には図７に示すように突出部２３，２６の凹所２３１，２６１内に係止棒１０の中間部１０２が位置し、この中間部１０２は凹所２３１，２６１とフック部材４，８の先端４２，８１によって抱持された状態となる。これにより、シートＳが確実に位置決めされるとともに、シート荷重は支持面２４，２８と係止棒１０とによって受けられる。
【００１６】
【発明の効果】
以上のように、本発明の脱着シートのロック構造によれば、重量増やコストアップを招くことなく、確実なロック状態を保証することができる。
【図面の簡単な説明】
【図１】本発明の一実施形態を示す、シート使用中のシート基台の側面図である。
【図２】後側脚体の全体斜視図である。
【図３】連結ロッドで結ばれた左右のフック部材の斜視図である。
【図４】ベース台の前端部の斜視図である。
【図５】図４のＶ−Ｖ線に沿った断面図である。
【図６】シート取り外し過程でのシート基台の側面図である。
【図７】本発明の他の実施形態を示す、シート使用中のシート基台の側面図である。
【図８】従来のロック構造を有するシート前端部の側面図である。
【符号の説明】
１…シート基台、２Ａ，２Ｂ…脚体、４，８…フック部材、９…ベース台、９１Ａ，９１Ｂ…開口、１０…係止棒、６２…リンク板、Ｆ…フロア、Ｓ…シート。
【図１】
0003593902.tif 000002
【図２】
0003593902.tif 000003
【図３】
0003593902.tif 000004
【図４】
0003593902.tif 000005
【図５】
0003593902.tif 000006
【図６】
0003593902.tif 000007
【図７】
0003593902.tif 000008
【図８】
0003593902.tif 000009